(57)【特許請求の範囲】
【請求項１】
信号入力端子と、
信号出力端子と、
これら信号入力端子と信号出力端子との間にカスケード接続した複数の縦結合多重モード型弾性表面波フィルタと、
を備え、かつ
前記複数の縦結合多重モード型弾性表面波フィルタは、圧電基板上において弾性表面波の伝搬方向に配列した複数の交差指状電極と、これら交差指状電極の両側に配した１対の反射器とをそれぞれ有して互いにカスケード接続された第一段フィルタと第二段フィルタとを含み、
前記第一段フィルタの複数の交差指状電極は、信号入力端子を接続した中央交差指状電極と、前記１対の反射器のうちの一方の内側に隣り合って配置した第一外側交差指状電極と、前記１対の反射器のうちの他方の内側に隣り合って配置した第二外側交差指状電極とを含み、
前記第二段フィルタの複数の交差指状電極は、信号出力端子を接続した中央交差指状電極と、前記１対の反射器のうちの一方の内側に隣り合って配置した第一外側交差指状電極と、前記１対の反射器のうちの他方の内側に隣り合って配置した第二外側交差指状電極とを含み、
前記第一段フィルタの第一外側交差指状電極および第二外側交差指状電極、ならびに前記第二段フィルタの第一外側交差指状電極および第二外側交差指状電極の、各信号側の櫛形電極を、隣り合う反射器に電気的に接続すると共に、
前記第一段フィルタの一方の反射器と前記第二段フィルタの一方の反射器とを電気的に接続し、
前記第一段フィルタの他方の反射器と前記第二段フィルタの他方の反射器とを電気的に接続した
弾性表面波装置であって、
前記第一段フィルタと前記第二段フィルタとを、互いに前記圧電基板上で弾性表面波の伝搬方向と略直交する方向に配列させ、
前記第一段フィルタの一方の反射器と前記第二段フィルタの一方の反射器とを連続する１つの反射器として形成すると共に、
前記第一段フィルタの他方の反射器と前記第二段フィルタの他方の反射器とを連続する１つの反射器として形成した
ことを特徴とする弾性表面波装置。
【請求項２】
前記第一段フィルタの第一外側交差指状電極および第二外側交差指状電極、ならびに前記第二段フィルタの第一外側交差指状電極および第二外側交差指状電極の、各信号側の櫛形電極のバスバーと、隣り合う反射器のバスバーとを連続した導体パターンで形成することにより、前記第一外側交差指状電極および第二外側交差指状電極の各信号側櫛形電極と各反射器との電気的接続を行った
請求項１に記載の弾性表面波装置。
【請求項３】
前記第一段フィルタおよび第二段フィルタのいずれか一方または双方について、前記第一外側交差指状電極と、当該第一外側交差指状電極の外側に配した前記反射器との間、ならびに、前記第二外側交差指状電極と、当該第二外側交差指状電極の外側に配した前記反射器との間、のいずれか一方または双方に、前記１対の反射器とは別の反射器を更に備えた
請求項１または２に記載の弾性表面波装置。
【請求項４】
前記第一段フィルタの中央交差指状電極、ならびに前記第二段フィルタの中央交差指状電極は、共に、前記第一外側交差指状電極の内側に隣り合って配置した第一中央交差指状電極と、前記第二外側交差指状電極の内側に隣り合って配置した第二中央交差指状電極と、これら第一中央交差指状電極と第二中央交差指状電極との間に配置した第三中央交差指状電極とからなり、
前記第一段フィルタの第一中央交差指状電極および第二交差指状電極に前記信号入力端子を接続する一方、
前記第二段フィルタの第一中央交差指状電極および第二交差指状電極に前記信号出力端子を接続し、
前記第一段フィルタに含まれる第三中央交差指状電極の信号側櫛形電極と、前記第二段フィルタに含まれる第三中央交差指状電極の信号側櫛形電極とを電気的に接続した
請求項１から３のいずれか一項に記載の弾性表面波装置。
【請求項５】
前記第一段フィルタの第三中央交差指状電極、ならびに前記第二段フィルタの第三中央交差指状電極は、共に、前記第一中央交差指状電極または第二中央交差指状電極の内側に隣り合って配置した２つの交差指状電極部と、これら２つの交差指状電極部間に配置した中央反射器とを含み、
第一段フィルタの前記中央反射器と、第二段フィルタの前記中央反射器とを電気的に接続した
請求項４に記載の弾性表面波装置。
【請求項６】
前記第一段フィルタの中央交差指状電極のグランド側の櫛形電極と、前記第二段フィルタの中央交差指状電極のグランド側の櫛形電極とを同一のグランド接続用のパッド電極に接続した
請求項１から５のいずれか一項に記載の弾性表面波装置。
【請求項７】
前記第一段フィルタと前記第二段フィルタとを、互いに前記圧電基板上で弾性表面波の伝搬方向と略直交する方向に配列させると共に、
前記第一段フィルタの中央交差指状電極のグランド側の櫛形電極と、前記第二段フィルタの中央交差指状電極のグランド側の櫛形電極とが、互いに対向するように配置し、
前記グランド接続用のパッド電極をこれら前記第一段フィルタと第二段フィルタのグランド側櫛形電極の間に配して、
当該グランド接続用パッド電極に前記第一段フィルタのグランド側櫛形電極と前記第二段フィルタのグランド側櫛形電極とを接続した
請求項６に記載の弾性表面波装置。
【請求項８】
前記第一段フィルタの反射器および前記第二段フィルタの反射器のいずれか一方または双方に対して重み付けを施した
請求項１から７のいずれか一項に記載の弾性表面波装置。
【請求項９】
前記信号入力端子が不平衡端子または平衡端子であり、
前記信号出力端子が不平衡端子または平衡端子である
請求項１から８のいずれか一項に記載の弾性表面波装置。
【請求項１０】
アンテナに接続される共通端子と、
第一の周波数帯に属する信号のための第一信号端子と、
前記第一の周波数帯より高い第二の周波数帯に属する信号のための第二信号端子と、
前記共通端子と第一信号端子との間に接続されかつ通過帯域として前記第一の周波数帯を有する第一弾性表面波装置と、
前記共通端子と第二信号端子との間に接続されかつ通過帯域として前記第二の周波数帯を有する第二弾性表面波装置と、
を備えたデュプレクサであって、
前記第一弾性表面波装置および前記第二弾性表面波装置のうち少なくとも前記第一弾性表面波装置を前記請求項１から９のいずれか一項に記載の弾性表面波装置とした
ことを特徴とするデュプレクサ。
【発明の詳細な説明】
【技術分野】
【０００１】
本発明は、弾性表面波装置に係り、特に縦結合多重モード型弾性表面波フィルタを複数段カスケード接続してなる弾性表面波装置を小型化すると共に、通過帯域高域側の減衰特性の改善を図る技術に関する。
【背景技術】
【０００２】
圧電効果によって発生する弾性表面波（Surface Acoustic Wave：ＳＡＷ／以下、弾性表面波をＳＡＷと言うことがある）を利用したＳＡＷ（弾性表面波）フィルタは、小型軽量で信頼性に優れることから、移動体通信機器の送受信フィルタやアンテナ分波器などに今日広く使用されている。かかるＳＡＷフィルタは、一般に、弾性表面波を励振する複数の交差指状電極（インターデジタルトランスデューサ：Interdigital Transducer／以下、ＩＤＴと言う）を圧電基板上に複数形成し、これらのＩＤＴを電気的あるいは音響的に接続することにより構成される。
【０００３】
ＩＤＴの接続方法としては、例えば、弾性表面波の伝搬経路に沿って複数のＩＤＴを並べて音響的に結合させる縦結合多重モード型構造が知られており、帯域外における減衰特性を向上させるため、さらに複数の縦結合多重モード型フィルタ（以下、ＤＭＳフィルタと言う）をカスケード接続する構造が採られることがある。また、複数段に接続された各ＤＭＳフィルタ内においては、弾性表面波をフィルタ内に閉じ込めるため、配列させたＩＤＴの両側に反射器が備えられる。
【０００４】
図２５から図２６は従来のこの種のＳＡＷフィルタの一例（第一従来例）を示すものである。これらの図に示すようにこのフィルタは、不平衡端子である入力端子１と出力端子２との間にＤＭＳフィルタ１１，２１を２段カスケード接続したもので、入力端子１に接続される入力段フィルタ１１および出力端子２に接続される出力段フィルタ２１は共に、一対の反射器１５，１６；２５，２６の間に、入力端子１または出力端子２に接続した中央ＩＤＴ１２，２２と、その両側に配した外側ＩＤＴ１３，１４；２３，２４とを備え、各フィルタ１１，２１内の外側ＩＤＴ１３，２３；１４，２４同士を導体パターン（信号ライン）１８ａ，１８ｂで電気的に繋ぐことにより両フィルタ１１，２１を接続したものである。なお、図２６において符号１９ａ，１９ｂ，１９ｅ〜１９ｈはグランド端子を示す。
【０００５】
また、図２７は従来のＳＡＷフィルタの別の例（第二従来例）を示すものである。このＳＡＷフィルタは平衡信号を出力させるようにしたもので、上記第一従来例に係るＳＡＷフィルタにおいて出力段フィルタ２１の中央ＩＤＴ２２を弾性表面波の伝搬方向と直交する方向に２分割して電気的に直列に接続し、各ＩＤＴ部２２ｃ，２２ｄに平衡出力端子２ａ，２ｂを接続している。入力端子１から入力された信号は、入力段フィルタ１１で平衡信号に変換され、これが外側ＩＤＴ１３，１４および両フィルタ１１，２１を接続する上記信号ライン１８ａ，１８ｂを通じて出力段フィルタ２１に伝送され、出力段フィルタ２１の中央ＩＤＴ２２に接続した出力端子２から平衡信号として取り出される。なお、信号ライン１８ａ，１８ｂのうち一方の信号ライン１８ａを通じて伝送される信号と、他方の信号ライン１８ｂを通じて伝送される信号とは互いに位相が１８０°ずれた信号となっている。
【０００６】
またこのようなＳＡＷ装置を開示するものとして下記文献がある。
【特許文献１】特開平５‐５５８７２号公報
【特許文献２】特開２００３−１７９４６２号公報
【特許文献３】特表２００３−５２８５２３号公報
【特許文献４】特開２００１−１８９６３９号公報
【特許文献５】特開２００７‐１２４０８５号公報
【発明の開示】
【発明が解決しようとする課題】
【０００７】
ところで、上記のようなＳＡＷ装置を実装するにあたってワイヤボンディング（ＷＢ）による場合には、従来から、リードレスチップキャリアに素子を搭載し、各ＩＤＴに対して入出力やグランドそれぞれに独立してボンディングパッドを設けることが一般的であった。また、入力端子及び出力端子を囲むように２つの外側のＩＤＴの入出力端子側にあるグランドが共通化されることもあるが、共通にするための配線が余分に必要となってこれが小型化を妨げる一因となっている。さらに、反射器の外側にフィルタを取り囲むようにカスケード接続する配線が引き回されることもあるが（特許文献５の図１１Ａ，段落００５１参照）、このような接続構造も小型化の妨げとなる。
【０００８】
一方、電子機器の小型化とこれに伴う電子部品の小型低背化の要請から、ＷＢからフリップチップボンディング（ＦＣＢ）への実装形式の移行が近年進んでいる。しかしながら、ＦＣＢ実装においても依然としてボンディングパッドや接続ラインは旧来のＷＢ実装におけるものと変わりがなく、ＷＢ実装時のパッド電極のままこれにバンプを配して接続を行っていることが少なくない。したがって、この点で小型化のための更なる改良の余地がある。
【０００９】
他方、本発明者は上記のようなＤＭＳフィルタを複数段接続したフィルタ構造についてシミュレーション解析を通じた検討を重ねた。その結果、上述したＳＡＷ装置の小型化と共に特性改善の余地があること、特に、フィルタの平面的な大きさ寸法を小さくしつつ同時にバンドパスフィルタを構成したときの通過帯域高域側の減衰特性を改善できることを見出した。
【００１０】
したがって、本発明はこのような知見に基づくものであり、その目的は、ＤＭＳフィルタを複数段カスケード接続してなるＳＡＷ装置をより一層小型化すると共に、通過帯域高域側の減衰特性を改善することにある。
【課題を解決するための手段】
【００１１】
上記課題を解決し目的を達成するため、本発明に係るＳＡＷ（弾性表面波）装置は、信号入力端子と、信号出力端子と、これら信号入力端子と信号出力端子との間にカスケード接続した複数のＤＭＳ（縦結合多重モード型ＳＡＷ）フィルタとを備え、かつ、前記複数のＤＭＳフィルタは、圧電基板上において弾性表面波の伝搬方向に配列した複数のＩＤＴ（交差指状電極）と、これらＩＤＴの両側に配した１対の反射器とをそれぞれ有して互いにカスケード接続された第一段フィルタと第二段フィルタとを含み、前記第一段フィルタの複数のＩＤＴは、信号入力端子を接続した中央ＩＤＴと、前記１対の反射器のうちの一方の内側に隣り合って配置した第一外側ＩＤＴと、前記１対の反射器のうちの他方の内側に隣り合って配置した第二外側ＩＤＴとを含み、前記第二段フィルタの複数のＩＤＴは、信号出力端子を接続した中央ＩＤＴと、前記１対の反射器のうちの一方の内側に隣り合って配置した第一外側ＩＤＴと、前記１対の反射器のうちの他方の内側に隣り合って配置した第二外側ＩＤＴとを含むＳＡＷ装置であって、前記第一段フィルタの第一外側ＩＤＴおよび第二外側ＩＤＴ、ならびに前記第二段フィルタの第一外側ＩＤＴおよび第二外側ＩＤＴの、各信号側の櫛形電極を、隣り合う反射器に電気的に接続すると共に、前記第一段フィルタの一方の反射器と前記第二段フィルタの一方の反射器とを電気的に接続し、前記第一段フィルタの他方の反射器と前記第二段フィルタの他方の反射器とを電気的に接続した。
【００１２】
本発明のＳＡＷ装置は、ＤＭＳフィルタをカスケード接続したＳＡＷ装置について様々な回路構成（電極パターン）を検討した結果として得られたものである。すなわち、かかる解析の結果、カスケード接続した第一段フィルタと第二段フィルタの各反射器同士を電気的に接続し、当該反射器およびこれらを接続する接続導体（反射器自体を長くして接続導体としても利用する場合を含む）を信号ラインとして使用することにより、通過帯域より高域側の減衰帯域、特に通過帯域近傍の高域側減衰帯域の減衰量を大きくすることが出来ることを見出しこれに基づいてなされものである。なお、この効果については後の実施形態において図面に基づいて説明する。
【００１３】
より具体的な構成としては、第一段フィルタおよび第二段フィルタの各フィルタに含まれる、弾性表面波の伝搬方向に配列させたＩＤＴのうち両端のＩＤＴ（すなわち第一外側ＩＤＴと第二外側ＩＤＴ）の各信号側の櫛形電極を隣り合う反射器にそれぞれ電気的に接続する。また、第一段フィルタの一方の反射器と第二段フィルタの一方の反射器とを電気的に接続すると共に、第一段フィルタの他方の反射器と第二段フィルタの他方の反射器とを電気的に接続する。
【００１４】
これにより、信号入力端子から入力された信号は、第一段フィルタの外側ＩＤＴ（第一外側ＩＤＴおよび第二外側ＩＤＴ）を通じて両端の反射器へ伝送され、当該第一段フィルタ両端の反射器から第二段フィルタ両端の反射器に入力されて当該第二段フィルタの外側ＩＤＴ（第一外側ＩＤＴおよび第二外側ＩＤＴ）に伝送され、第二段フィルタの中央ＩＤＴを通じて信号出力端子から出力される。
【００１５】
上記のような本発明のＳＡＷ装置によれば、高域側減衰域における減衰量を大きくすることが出来るが、これに加え、ＳＡＷ装置を小型化することが可能となる。従来のＳＡＷ装置では、第一段フィルタと第二段フィルタとをカスケード接続する信号ラインとして両フィルタに含まれる外側ＩＤＴ同士を導体パターン（信号ライン）をフィルタの周囲に引き回して接続することがあったが、このような引き回しラインが不要となるからである。また、従来のように入力側及び出力側のグランドを共通化するための配線が新たに必要となることもなく、本発明は小型化の点で有利である。
【００１６】
上記本発明において、外側ＩＤＴの信号側櫛形電極と反射器とを電気的に接続するには、例えば当該信号側櫛形電極のバスバーと、反射器のバスバーとを連続した導体パターンで形成（両バスバーを共通化）すれば良い。
【００１７】
また、第一段フィルタの反射器と第二段フィルタの反射器とを接続するには、圧電基板上に形成した導体パターン（導体線路）によることも可能であるが、例えば、第一段フィルタと第二段フィルタとを、互いに圧電基板上で弾性表面波の伝搬方向と略直交する方向に配列させ、第一段フィルタの一方の反射器と第二段フィルタの一方の反射器とを連続する１つの反射器として形成すると共に、第一段フィルタの他方の反射器と第二段フィルタの他方の反射器とを連続する１つの反射器として形成しても良い。このような装置構造によれば、第一段フィルタと第二段フィルタとを音響的に繋げることが出来ることに加え、当該信号ラインとその周囲に形成されるグランドパターンとの間、或いは素子が実装されている場合には、素子と実装面のグランドパターンとの間に生じ得る寄生容量を低減することが出来る。
【００１８】
さらに、第一段フィルタおよび第二段フィルタのいずれか一方または双方について、第一外側ＩＤＴと、当該第一外側ＩＤＴの外側に配した反射器との間、ならびに、第二外側ＩＤＴと、当該第二外側ＩＤＴの外側に配した反射器との間、のいずれか一方または双方に、前記１対の反射器（フィルタ最外部の反射器／以下、この反射器を「端部反射器」と言うことがある）とは別の反射器（以下、この反射器を端部反射器と区別するために「結合反射器」と言うことがある）を更に備えても良い。
【００１９】
このように外側ＩＤＴと反射器との間に更に別の反射器（結合反射器）を備えれば、例えば電極指対数や電極ピッチ等の差異により、第一段フィルタと第二段フィルタの長さ（弾性表面波伝搬方向の大きさ）が異なる場合であっても、当該結合反射器を介在させることでフィルタの長さを調整することができ、第一段フィルタと第二段フィルタの端部反射器同士を容易に（ストレートに）カスケード接続して多段フィルタを構成することが可能となる。なお、当該結合反射器は、他のＩＤＴおよび反射器（端部反射器）と電気的に接続されていない所謂浮き反射器としても良いし、例えばバスバーを共通にするなど他のＩＤＴ又は反射器（端部反射器）と電気的に接続された反射器であっても構わない。
【００２０】
さらに本発明の具体的な装置構成として、上記ＳＡＷ装置において、第一段フィルタの中央ＩＤＴ、ならびに第二段フィルタの中央ＩＤＴが、共に、第一外側ＩＤＴの内側に隣り合って配置した第一中央ＩＤＴと、前記第二外側ＩＤＴの内側に隣り合って配置した第二中央ＩＤＴと、これら第一中央ＩＤＴと第二中央ＩＤＴとの間に配置した第三中央ＩＤＴとからなり、第一段フィルタの第一中央ＩＤＴおよび第二ＩＤＴに信号入力端子を接続する一方、第二段フィルタの第一中央ＩＤＴおよび第二ＩＤＴに信号出力端子を接続し、第一段フィルタに含まれる第三中央ＩＤＴの信号側櫛形電極と、第二段フィルタに含まれる第三中央ＩＤＴの信号側櫛形電極とを電気的に接続しても良い。
【００２１】
かかる装置は、所謂５‐ＩＤＴ型のＤＭＳフィルタにより第一段フィルタおよび第二段フィルタを構成した例であり、前記中央ＩＤＴを、弾性表面波の伝搬方向に配列して音響結合させた３つのＩＤＴにより構成し、これらのうち両端のＩＤＴ（第一中央ＩＤＴおよび第二中央ＩＤＴ）に信号端子（入力信号端子または出力信号端子）を接続すると共に、第一段フィルタおよび第二段フィルタの中央のＩＤＴ（第三中央ＩＤＴ）同士を電気的に接続して段間接続用の信号ラインとしたものである。
【００２２】
さらに当該ＳＡＷ装置において、第一段フィルタの第三中央ＩＤＴ、ならびに第二段フィルタの第三中央ＩＤＴが、共に、第一中央ＩＤＴまたは第二中央ＩＤＴの内側に隣り合って配置した２つのＩＤＴ部と、これら２つのＩＤＴ部間に配置した中央反射器とを含み、第一段フィルタの中央反射器と、第二段フィルタの中央反射器とを電気的に接続して当該接続ラインを段間接続用の信号ラインとしても良い。
【００２３】
また上記本発明においては、第一段フィルタの中央ＩＤＴのグランド側の櫛形電極と、第二段フィルタの中央ＩＤＴのグランド側の櫛形電極とを同一のグランド接続用のパッド電極に接続しても良い。より具体的には、例えば、第一段フィルタと第二段フィルタとを、互いに圧電基板上で弾性表面波の伝搬方向と略直交する方向に配列させると共に、第一段フィルタの中央ＩＤＴのグランド側櫛形電極と、第二段フィルタの中央ＩＤＴのグランド側櫛形電極とが互いに対向するように配置し、上記グランド接続用のパッド電極をこれら第一段フィルタと第二段フィルタのグランド側櫛形電極の間に配して、当該グランド接続用パッド電極に第一段フィルタのグランド側櫛形電極と第二段フィルタのグランド側櫛形電極とを接続する。
【００２４】
このような装置構造によれば、第一段フィルタと第二段フィルタとで、グランド用のパッド電極を共通化し（１つの接続パッドで済む）、パッド電極の数を少なくすることが出来るから、ＳＡＷ装置のより一層の小型化が可能となる。
【００２５】
さらに、上記第一段フィルタの反射器および第二段フィルタの反射器のいずれか一方または双方に対して重み付けを施しても良い。上記信号入力端子ならびに信号出力端子は、不平衡端子および平衡端子のいずれとしても良い。具体的には、例えば入力端子と出力端子の双方を不平衡端子とすることも出来るし、入力端子が不平衡端子で出力端子が平衡端子とすることも可能であるし、あるいは逆に、入力端子が平衡端子で出力端子が不平衡端子としても良い。
【００２６】
一方、本発明に係るデュプレクサは、アンテナに接続される共通端子と、第一の周波数帯に属する信号のための第一信号端子と、前記第一の周波数帯より高い第二の周波数帯に属する信号のための第二信号端子と、前記共通端子と第一信号端子との間に接続されかつ通過帯域として前記第一の周波数帯を有する第一ＳＡＷ装置と、前記共通端子と第二信号端子との間に接続されかつ通過帯域として前記第二の周波数帯を有する第二ＳＡＷ装置とを備えたデュプレクサであって、前記第一ＳＡＷ装置および前記第二ＳＡＷ装置のうち少なくとも前記第一ＳＡＷ装置を前記本発明に係るいずれかのＳＡＷ装置としたものである。
【００２７】
このようなデュプレクサによれば、第二ＳＡＷ装置の通過帯域（第二周波数帯）における第一ＳＡＷ装置の減衰量を大きくすることができ、周波数特性に優れたデュプレクサを構成することが出来る。なお、当該デュプレクサにおいては、第一ＳＡＷ装置が送信用フィルタで第二ＳＡＷ装置が受信用フィルタであっても良いし、逆に、第一ＳＡＷ装置が受信用フィルタで第二ＳＡＷ装置が送信用フィルタであっても構わない。
【００２８】
上記本発明のＳＡＷ装置ならびにデュプレクサの実装にあたっては、典型的には低背化に有利なＦＣＢ（フリップチップボンディング）を採用するが、本発明は必ずしもこれに限定されず、ＷＢ（ワイヤボンディング）実装によることも可能である。
【発明の効果】
【００２９】
本発明によれば、ＤＭＳフィルタを複数段カスケード接続してなるＳＡＷ装置をより一層小型化すると共に、通過帯域高域側の減衰特性を改善することが出来る。
【００３０】
本発明の他の目的、特徴および利点は、図面に基づいて述べる以下の本発明の実施の形態の説明により明らかにする。尚、各図中、同一の符号は、同一又は相当部分を示す。
【発明を実施するための最良の形態】
【００３１】
〔実施形態１〕
図１から図２は、本発明の第一の実施形態に係るＳＡＷ装置を模式的に示すものである（図示の都合上ＩＤＴや反射器の電極の本数は実際と異なる。以降の図面においても同様）。これらの図に示すようにこのＳＡＷ装置は、信号が入力される入力端子１と信号が出力される出力端子２との間に直列に（２段に）ＤＭＳフィルタ（縦結合多重モードＳＡＷフィルタ）１１，２１をカスケード接続したもので、これら入力段および出力段の各フィルタ１１，２１は、共に、弾性表面波の伝搬方向に配列するように圧電基板上に設けた３つのＩＤＴ１２，１３，１４；２２，２３，２４と、その両端に設けた反射器１５，１６；２５，２６とを備えた所謂３‐ＩＤＴ型のＤＭＳフィルタである。
【００３２】
なお、これら３つの配列したＩＤＴのうち中央のＩＤＴ１２，２２を中央ＩＤＴ、当該中央ＩＤＴ１２，２２の両側に配したＩＤＴ１３，１４，２３，２４を外側ＩＤＴと称する。また各フィルタ１１，２１に含まれる中央ＩＤＴ１２，２２および外側ＩＤＴ１３，１４，２３，２４は、共に、一対の櫛形電極からなるが、それらのうち信号電位側の櫛形電極を信号側櫛形電極、グランド電位側の櫛形電極をグランド側櫛形電極と称する。さらに、入力段フィルタ１１と出力段フィルタ２１とは、圧電基板上で弾性表面波の伝搬方向と直交する方向に並べて配置してあり、当該フィルタ１１，２１の配列方向の一方の（入力段フィルタ１１側の）外側に入力端子１を、他方の（出力段フィルタ２１側の）外側に出力端子２をそれぞれ配置し、両フィルタ１１，２１の間にグランド端子１９ａ，１９ｂを設けてある。
【００３３】
入力段フィルタ１１において、中央ＩＤＴ１２の信号側櫛形電極１２ａは、弾性表面波伝搬方向と直交する方向の入力端子側に配置して当該入力端子１と電気的に接続し、外側ＩＤＴ１３，１４の信号側櫛形電極１３ａ，１４ａは同じく弾性表面波伝搬方向と直交する方向の入力端子側に配置してそのバスバーを隣り合う反射器１５，１６の各バスバーと共通にすることにより当該反射器１５，１６とそれぞれ電気的に接続する。また、中央ＩＤＴ１２および外側ＩＤＴ１３，１４のグランド側櫛形電極１７は、共通の（１本の）バスバーにより構成し、弾性表面波伝搬方向と直交する方向についてグランド端子１９ａ側に配置して両フィルタ１１，２１の間に設けた当該グランド端子１９ａと電気的に接続する。
【００３４】
同様に、出力段フィルタ２１では、中央ＩＤＴ２２の信号側櫛形電極２２ａを弾性表面波伝搬方向と直交する方向の出力端子側に配置して当該出力端子２と電気的に接続し、外側ＩＤＴ２３，２４の信号側櫛形電極２３ａ，２４ａは同じく弾性表面波伝搬方向と直交する方向の出力端子側に配置してそのバスバーを隣り合う反射器２５，２６の各バスバーと共通にすることにより当該反射器２５，２６とそれぞれ電気的に接続する。また、中央ＩＤＴ２２および外側ＩＤＴ２３，２４のグランド側櫛形電極２７は、共通の（１本の）バスバーにより構成し、両フィルタ１１，２１の間に配したグランド端子１９ｂ側に配置して当該グランド端子１９ｂと電気的に接続する。
【００３５】
また、入力段フィルタ１１の一方の端部（弾性表面波の伝搬方向についての端部／以下同様）に配した反射器１５と、出力段フィルタ２１の一方の端部に配した反射器２５とを導体パターン（カスケード接続ライン又は信号ライン）１８で接続すると共に、入力段フィルタ１１の他方の端部に配した反射器１６と、出力段フィルタ２１の他方の端部に配した反射器２６とを同様に導体パターン１８で接続することにより、両フィルタ１１，２１をカスケード接続する。
【００３６】
図３から図５はこのような装置構造を有する本実施形態に係るＳＡＷ装置の周波数‐減衰特性（太線）を、比較例に係るＳＡＷ装置（細線）との対比において示した線図である。これらの図から明らかなように本実施形態のＳＡＷ装置によれば、通過帯域の電気特性を損なわずに、高域側の減衰特性、特に通過域近傍領域において減衰量を大きくしてフィルタ特性を改善できることが分かる。具体的な一例として、高域側減衰域８６９〜８９４ＭＨｚで−４０ｄＢという要求仕様（ＧＳＭ送信フィルタ／通過帯域８２４〜８４９ＭＨｚを想定）を例にとって述べれば、通過帯域に近い側の８６９ＭＨｚにおいて比較例１（細線）では３３．２ｄＢと、当該仕様を満たすことが出来ないのに対して、本実施形態１（太線）によれば４３．７ｄＢと、比較例１に較べて１０．５ｄＢ減衰特性を改善して当該仕様を十分に満たすことが可能となる。なお、通過帯域における要求仕様（８２４〜８４９ＭＨｚで−２．４ｄＢ）については、比較例および本実施形態１は共に、８４９ＭＨｚにおいて−１．４ｄＢであり、当該要求を満たすことが出来る（図５参照）。このように本発明は、特に送受信信号の帯域が近い場合に良好な特性を得る効果的な手段となり得る。なお、上記周波数については、一例を示しただけであって本発明はこれに限定されないことは勿論である（後述の図１３及び図１５についても同様）。
【００３７】
なお、上記比較例に係る装置は、図２２および図２３に示すように、本実施形態の装置と同様に両側に反射器１５，１６，２５，２６を備えた３‐ＩＤＴ型のＤＭＳフィルタ１１，２１を２段カスケード接続したものであるが、入力段フィルタ１１および出力段フィルタ２１の外側ＩＤＴ１３，２３；１４，２４同士を接続して信号ライン（カスケード接続ライン）１８としている。またこの比較例では、両フィルタ１１，２１の反射器１５，２５；１６，２６同士を接続しているが、当該各反射器１５，１６，２５，２６は外側ＩＤＴ１３，１４，２３，２４のグランド電位側櫛形電極１３ｂ，１４ｂ，２３ｂ，２４ｂのバスバーと接続させてある。さらに反射器同士を接続するライン２０上にはグランド端子１９ｃ，１９ｄを備える。
【００３８】
さらに本実施形態に係るＳＡＷ装置では、前記図１乃至図２に示すように反射器同士をストレートに導体パターン１８で接続して両フィルタ１１，２１の周囲にカスケード接続用の導体パターンやグランド端子等を配する必要がないから、素子の形成面積を小さくし、ＳＡＷ装置全体を小型化する点でも有利である。なお、本実施形態では、各反射器１５，１６，２５，２６の何れか又は総てについて重み付けを施しても良い。具体的な重み付けの方法は、例えば後述の第五実施形態（図１１）と同様に、弾性表面波の伝搬方向の位置によって反射器の電極長さが異なるようにしても良いし、他の様々な重み付けの方法を採ることが可能である。
【００３９】
〔実施形態２〕
図６から図７は、本発明の第二の実施形態に係るＳＡＷ装置を示すものである。これらの図に示すようにこの実施形態に係る装置は、前記第一実施形態の装置において、入力段フィルタ１１と出力段フィルタ２１との間に配したグランド端子１９ａ，１９ｂ（図２参照）を共通化した、すなわち、入力段フィルタ１１のグランド側櫛形電極１７と出力段フィルタ２１のグランド側櫛形電極２７を入力段フィルタ１１と出力段フィルタ２１との間に配した１つのグランド端子電極１９に接続したものである。
【００４０】
このような装置構造によれば、グランド端子の数を減らすことが出来る。なお、入力段フィルタ１１と出力段フィルタ２１の反射器１５，１６，２５，２６同士を接続して信号ライン（カスケード接続ライン）として使用する点その他は、本実施形態は前記第一実施形態と同様であるから、図面に同一の符号を付して重複した説明を省略する（以下の実施形態において同様）。
【００４１】
〔実施形態３〕
図８から図９は、本発明の第三の実施形態に係るＳＡＷ装置を示すものである。これらの図に示すようにこの実施形態に係る装置は、前記第一実施形態の装置において、入力段フィルタ１１と出力段フィルタ２１における各両側の反射器の電極を他方のフィルタの反射器に向け延ばして（当該延長部分を符号２８で表す）一方の反射器１５，２５同士ならびに他方の反射器１６，２６同士を接続したものである。言い換えれば、入力段フィルタ１１の一方の端部に備える反射器１５と出力段フィルタ２１の一方の端部に備える反射器２５とを共通化する（同一の（１つの）反射器とする）と共に、入力段フィルタ１１の他方の端部に備える反射器１６と出力段フィルタ２１の他方の端部に備える反射器２６とを共通化する（同一の（１つの）反射器とする）ことで、反射器を信号ライン（両フィルタを接続するカスケード接続ライン）としたものである。
【００４２】
端部反射器１５，２５；１６，２６を共通にするこのような装置構造によれば、入力段フィルタ１１と出力段フィルタ２１とを音響的に繋げることが出来ることに加え、当該信号ライン２８とその周囲に形成されるグランドパターン（図示せず）との間、或いは素子が実装されている場合には、素子と実装面のグランドパターンとの間に生じ得る寄生容量を低減することが出来る。なお、図面では、入力段フィルタ１１に属する反射器部分１５，１６と、出力段フィルタ２１に属する反射器部分２５，２６とで電極本数が同一となっているが、各反射器部分で電極本数が異なっていても良く、また各反射器部分のピッチや、ピッチに対する電極幅の比が異なっていても良い。
【００４３】
〔実施形態４〕
図１０は、本発明の第四の実施形態に係るＳＡＷ装置を示すものである。同図に示すようにこの実施形態に係る装置は、前記第三実施形態（図８〜図９）の装置において、前記第二実施形態と同様に、入力段フィルタ１１と出力段フィルタ２１との間に配したグランド端子１９を共通化したものである。
【００４４】
〔実施形態５〕
さらに図１１は、本発明の第五の実施形態に係るＳＡＷ装置を示すもので、この実施形態に係る装置は、前記第四実施形態（図１０）の装置において、両端の反射器１５，１６，２５，２６に対して重み付けを施したものである。この重み付けは、本実施形態では、装置の外側方向（弾性表面波の伝搬方向について外側）へ行くほど直線状にバスバーの幅を広くして各反射器１５，１６，２５，２６の電極の長さが短くなるようにする（台形状のグレーティング電極とする）ことで、弾性表面波の伝搬方向に直交する方向の位置によって反射器の電極本数が変わるようにした（弾性表面波の伝搬方向に直交する方向について外側位置ほど電極本数が少なくなる、すなわち、反射器１５，１６，２５，２６のバスバーに近い位置では本数が少なく、当該バスバーから遠い位置ほど本数が多い）。なお、当該重み付けは、この例のほかにも、例えば曲線状に反射器の電極長さを変化させる、あるいは円弧状のグレーティング電極とするなど様々な構成を採ることが可能である。
【００４５】
〔実施形態６〕
図１２は、本発明の第六の実施形態に係るＳＡＷ装置を示すもので、この実施形態の装置は平衡出力信号を取り出すようにしたものである。具体的には、前記第一から第五実施形態の装置と同様に一対の反射器１５，１６；２５，２６の間に中央ＩＤＴ１２；２２とその両側に配した外側ＩＤＴ１３，１４；２３，２４とを備えた３‐ＩＤＴ型のＤＭＳフィルタ（入力段フィルタ１１および出力段フィルタ２１）を両端の反射器１５，１６；２５，２６および反射器同士を接続するライン（導体パターン）１８ａ，１８ｂを通じて２段カスケード接続したものであるが、出力段フィルタ２１の中央ＩＤＴ２２を弾性表面波の伝搬方向と直交する方向に２分割して電気的に直列に接続し各ＩＤＴ部２２ｃ，２２ｄに平衡出力端子２ａ，２ｂをそれぞれ接続している。
【００４６】
入力端子１は、前記第一から第五実施形態の装置と同様に不平衡端子である。また、前記各実施形態と同様に入力段フィルタ１１と出力段フィルタ２１との間にグランド端子１９を設けて、このグランド端子１９に、入力段フィルタ１１の中央ＩＤＴ１２および外側ＩＤＴ１３，１４のグランド側櫛形電極１７と、出力段フィルタ２１の各外側ＩＤＴ２３，２４のグランド側櫛形電極２３ａ，２４ａを接続する。
【００４７】
入力端子１から入力された信号は、前記第二従来例（図２７）と同様に入力段フィルタ１１で平衡信号に変換されるが、当該信号は外側ＩＤＴ１３，１４と、これらに隣接する反射器１５，１６および入力段フィルタ１１と出力段フィルタ２１の反射器同士を接続する上記信号ライン１８ａ，１８ｂを通じて出力段フィルタ２１に伝送され、出力段フィルタ２１の反射器２５，２６、外側ＩＤＴ２３，２４および中央ＩＤＴ２２を通じて平衡出力端子２から平衡信号として取り出される。なお、信号ライン１８ａ，１８ｂのうち一方の信号ライン１８ａを通じて伝送される信号と、他方の信号ライン１８ｂを通じて伝送される信号とは互いに位相が１８０°ずれた信号となっている。
【００４８】
図１３は本実施形態に係る装置の周波数‐減衰特性（太線）を、第二の比較例に係るＳＡＷ装置（細線）との対比において示した線図である。この図から明らかなように本実施形態のＳＡＷ装置によれば、通過帯域の電気特性を損なわずに、高域側の減衰特性、特に通過域近傍領域において減衰量を大きくしてフィルタ特性を改善できることが分かる。具体的には、高域側減衰域９８０〜１０３０ＭＨｚで−２５ｄＢという要求仕様（ＧＳＭ受信フィルタ／通過帯域９２５〜９６０ＭＨｚを想定）を例にとって述べれば、通過帯域に近い側の９８０ＭＨｚにおいて比較例２（細線）は３０．９ｄＢであるのに対して、本実施形態（太線）によれば３４．８ｄＢと、比較例２に較べて３．９ｄＢ減衰特性を改善することができ、当該要求仕様を十分に満たすことが出来る。
【００４９】
なお、当該第二比較例に係る装置は、図２４に示すように、本実施形態の装置と同様に両側に反射器１５，１６；２５，２６を備えた３‐ＩＤＴ型のＤＭＳフィルタ１１，２１を２段カスケード接続し、出力段フィルタ２１から平衡信号を取り出すようにしたものであるが、入力段フィルタ１１および出力段フィルタ２１の外側ＩＤＴ１３，２３；１４，２４同士を接続して信号ライン（カスケード接続ライン)１８ａ，１８ｂとしている。またこの第二比較例では、両フィルタ１１，２１の反射器１５，２５；１６，２６同士を接続しているが、当該各反射器１５，１６，２５，２６は外側ＩＤＴ１３，１４，２３，２４のグランド電位側櫛形電極１３ｂ，１４ｂ，２３ｂ，２４ｂのバスバーと接続させてある。さらに反射器同士を接続するライン２０上にはグランド端子を備える。
【００５０】
〔実施形態７〕
図１４は、本発明の第七の実施形態に係るＳＡＷ装置を模式的に示すものである。この実施形態の装置は、前記第六実施形態と異なって不平衡入力端子１から入力された不平衡信号を入力段フィルタ１１からそのまま反射器１５，１６および反射器同士を接続する信号ライン１８ａ，１８ｂを通じて出力段フィルタ２１に伝送し、出力段フィルタ２１で当該不平衡信号を平衡信号に変換して平衡出力端子２から平衡信号を取り出すようにしたものである。なお、出力段フィルタ２１における不平衡信号から平衡信号への変換は、出力段フィルタ２１の２つの外側ＩＤＴ２３，２４の極性を互いに略１８０°反転させておくことにより行えば良い。信号ライン１８ａ，１８ｂを通じて伝送される信号は、この実施形態では前記第六実施形態と異なり、同位相の信号である。
【００５１】
図１５は本実施形態に係る装置の周波数‐減衰特性を、前記第二比較例に係るＳＡＷ装置との対比において示した線図である。この図から明らかなように本実施形態のＳＡＷ装置によっても、通過帯域の電気特性を損なわずに、高域側の減衰特性、特に通過域近傍領域において減衰量を大きくしてフィルタ特性を改善できることが分かる。具体的には、高域側減衰域９８０〜１０３０ＭＨｚで−２５ｄＢという要求仕様（ＧＳＭ受信フィルタ／通過帯域９２５〜９６０ＭＨｚを想定）を例にとって述べれば、通過帯域に近い側の９８０ＭＨｚにおいて比較例２（細線）は３０．９ｄＢであるのに対して、本実施形態（太線）によれば３８．１ｄＢと、比較例２に較べて７．２ｄＢの特性改善を行うことができ、当該要求仕様を十分に満たすことが出来る。
【００５２】
〔実施形態８〕
図１６は、本発明の第八の実施形態に係るＳＡＷ装置を模式的に示すものである。同図に示すようにこの実施形態に係るＳＡＷ装置は、前記各実施形態と同様に、両側に反射器（端部反射器）１５，１６；２５，２６を備えた３‐ＩＤＴ型ＤＭＳフィルタを、端部反射器同士を電気的に接続して信号ラインとしたものであるが、入力段および出力段の各フィルタ１１，２１について、外側ＩＤＴ１３，１４，２３，２４と端部反射器１５，１６，２５，２６との間に、独立した反射器（浮き反射器）３１をそれぞれ設けている。
【００５３】
このように外側ＩＤＴ１３，１４，２３，２４と端部反射器１５，１６，２５，２６との間に更に別の反射器３１を備えることとすれば、例えば電極指対数や電極ピッチ等の差異により入力段フィルタ１１と出力段フィルタ２１の長さ（弾性表面波伝搬方向の大きさ）が異なる場合であっても、当該反射器３１を介在させることでフィルタの長さを調整することができ、両フィルタ１１，２１の端部反射器同士を容易にカスケード接続して多段フィルタを構成することが可能となる。
【００５４】
なお、外側ＩＤＴ１３，１４，２３，２４の信号側櫛形電極１３ａ，１４ａ，２３ａ，２４ａと端部反射器１５，１６，２５，２６とを信号ライン３８により電気的に接続してある。また、入力端子１は不平衡端子であり、出力端子２は前記第六実施形態（図１２）と同様に平衡端子である。入力端子１から入力され入力段フィルタ１１で平衡信号に変換された入力信号のうち、一方の信号ライン１８ａを通じて伝送される信号と、他方の信号ライン１８ｂを通じて伝送される信号とは第六実施形態と同様に互いに位相が１８０°ずれた信号となっている。
【００５５】
〔実施形態９〕
図１７は、本発明の第九の実施形態に係るＳＡＷ装置を模式的に示すものである。同図に示すようにこの実施形態に係るＳＡＷ装置は、前記第八実施形態において、前記第三実施形態のように入力段フィルタ１１と出力段フィルタ２１における各端部反射器の電極を他方のフィルタの端部反射器に向け延ばし（延長部分２８により）、一方の反射器１５，２５同士ならびに他方の反射器１６，２６同士を接続して信号ライン（両フィルタを接続するカスケード接続ライン）としたものである。なお、各フィルタ１１，２１において各外側ＩＤＴ１３，１４，２３，２４と各端部反射器１５，１６，２５，２６との間には、前記第八実施形態と同様に反射器３１を備えてある。
【００５６】
〔実施形態１０〕
図１８は、本発明の第十の実施形態に係るＳＡＷ装置を模式的に示すものである。同図に示すようにこの実施形態に係るＳＡＷ装置は、前記第九実施形態と同様に、入力段フィルタ１１と出力段フィルタ２１とでＩＤＴの電極指対数や電極ピッチ等が相違し両フィルタの長さが異なる場合に好適な構成例を示すものであるが、第九実施形態と異なり、外側ＩＤＴ１３，１４，２３，２４と端部反射器１５，１６，２５，２６との間に浮き反射器３１を設けず、その代わりに他方のフィルタ（出力段フィルタ２１）と接続して一体化する端部反射器１５，１６について、当該他方のフィルタ２１とは接続しない非接続電極部３２を備えたものである。このように浮き反射器でなく、非接続電極部３２を端部反射器に設けることによっても、電極指対数や電極ピッチの差異に対応することが出来る。なお、非接続電極部３２は、図示の例では、入力段フィルタ１１に設けたが、出力段フィルタ２１に、あるいは両フィルタ１１，２１に設けても良い。
【００５７】
〔実施形態１１〕
図１９は、本発明の第十一の実施形態に係るＳＡＷ装置を模式的に示すものである。同図に示すようにこの実施形態に係るＳＡＷ装置は、入力段フィルタ１１および出力段フィルタ２１を、弾性表面波の伝搬方向に配列した５つのＩＤＴ１３，４１，４３，４２，１４；２３，５１，５３，５２，２４を備える５‐ＩＤＴ型ＤＭＳフィルタにより構成したものである。
【００５８】
具体的には、入力段フィルタ１１の中央ＩＤＴは、第一外側ＩＤＴ１３の内側に隣り合って配置した第一中央ＩＤＴ４１と、第二外側ＩＤＴ１４の内側に隣り合って配置した第二中央ＩＤＴ４２と、これら第一中央ＩＤＴ４１と第二中央ＩＤＴ４２との間に配置した第三中央ＩＤＴ４３とからなる。同様に、出力段フィルタ２１の中央ＩＤＴは、第一外側ＩＤＴ２３の内側に隣り合って配置した第一中央ＩＤＴ５１と、第二外側ＩＤＴ２４の内側に隣り合って配置した第二中央ＩＤＴ５２と、これら第一中央ＩＤＴ５１と第二中央ＩＤＴ５２との間に配置した第三中央ＩＤＴ５３とからなる。
【００５９】
また、入力端子１は、入力段フィルタ１１の第一中央ＩＤＴ４１と第二中央ＩＤＴ４２とに接続し、出力端子２は出力段フィルタ２１の第一中央ＩＤＴ５１と第二中央ＩＤＴ５２とに接続する。さらに、入力段フィルタ１１に含まれる第三中央ＩＤＴ４３の信号側櫛形電極４３ａと、出力段フィルタ２１に含まれる第三中央ＩＤＴ５３の信号側櫛形電極５３ａとを電気的に接続して段間接続用の信号ライン４８とする。なお、入力段フィルタ１１および出力段フィルタ２１の各端部反射器１５，１６，２５，２６同士を電気的に接続して信号ライン１８とすることは前記各実施形態と同様である。
【００６０】
なお、図２８は、５‐ＩＤＴ型ＤＭＳフィルタ１１，２１を入力端子１と出力端子２との間に２段カスケード接続した従来のＳＡＷ装置の一例を示す概念図である。この図に示すように従来のＳＡＷ装置では、弾性表面波の伝搬方向に配列して各フィルタを構成するＩＤＴ１３，４１，４３，４２，１４；２３，５１，５３，５２，２４のうちの両端のＩＤＴ（外側ＩＤＴ）１３，２３；１４，２４同士、ならびに、中央のＩＤＴ４３，５３同士をそれぞれ電気的に接続して信号ライン（カスケード接続ライン）１８，４８としている。上記本実施形態に係るＳＡＷ装置は、従来のこの種のＳＡＷ装置と比較して、前記各実施形態と同様に、ＳＡＷ装置全体の小型化と、高域側（特に通過域近傍領域）の減衰特性の改善が可能である（次に述べる第十二実施形態も同様）。
【００６１】
〔実施形態１２〕
さらに図２０は、本発明の第十二の実施形態に係るＳＡＷ装置を模式的に示すものである。同図に示すようにこの実施形態に係るＳＡＷ装置は、前記第十一実施形態と同様に、入力段フィルタ１１および出力段フィルタ２１を５‐ＩＤＴ型ＤＭＳフィルタにより構成したものであるが、入力段フィルタ１１の第三中央ＩＤＴが、第一中央ＩＤＴ４１または第二中央ＩＤＴ４２の内側に隣り合って配置した２つのＩＤＴ部４３Ａ，４３Ｂと、これら２つのＩＤＴ部４３Ａ，４３Ｂの間に配置した反射器（中央反射器）４３Ｃとからなる。同様に、出力段フィルタ２１についても、第三中央ＩＤＴが、第一中央ＩＤＴ５１または第二中央ＩＤＴ５２の内側に隣り合って配置した２つのＩＤＴ部５３Ａ，５３Ｂと、これら２つのＩＤＴ部５３Ａ，５３Ｂの間に配置した反射器（中央反射器）５３Ｃとからなる。また、入力段フィルタ１１の中央反射器４３Ｃと、出力段フィルタ２１の中央反射器５３Ｃとを電気的に接続して段間接続用の信号ライン４８とする。
【００６２】
なお、本実施形態ならびに前記第十一実施形態においても、前記各実施形態と同様に、入力および出力の一方または双方を平衡端子とすることが可能であることは当業者に明らかである。また、５‐ＩＤＴ型フィルタによって入力段および出力段の各フィルタ１１，２１を構成した本実施形態（第十二実施形態）ならびに前記第十一実施形態においても、前記３‐ＩＤＴ型フィルタによる前記第三実施形態（図８）と同様に、入力段および出力段の各フィルタ１１，２１について端部反射器１５，２５；１６，２６同士を共通にすることにより両フィルタ１１，２１をカスケード接続することが出来る。そしてこのような端部反射器同士を共通化した装置構造によれば、入力段フィルタ１１と出力段フィルタ２１とを音響的に繋げることができ、また当該信号ラインとその周囲に形成されるグランドパターン（図示せず）との間、或いは素子が実装されている場合には、素子と実装面のグランドパターンとの間に生じ得る寄生容量を低減することが可能となる。
【００６３】
図２１は、本発明の係るデュプレクサの一例を示すものである。同図に示すようにこのデュプレクサは、共通端子Ｃと送信信号端子（第一信号端子）Ｔｘとの間に接続される送信側フィルタ（第一弾性表面波装置）１０１と、共通端子Ｃと受信信号端子（第二信号端子）Ｒｘとの間に接続される受信側フィルタ（第二弾性表面波装置）１０２とを備え、送信側フィルタ１０１の通過帯域が受信側フィルタ１０２の通過帯域より低く、送信側フィルタ１０１として前記いずれかの実施形態のＳＡＷ装置を用いたものである。なお、共通端子Ｃはアンテナに接続される。また、受信側フィルタ１０２は本発明に基づくＳＡＷ装置であっても良いし、他のＳＡＷ装置（フィルタ）としても構わない。
【００６４】
このような本実施形態によれば、送信側フィルタ１０１について受信側フィルタ１０２の通過帯域で良好な減衰特性を得ることができ、電気特性に優れたデュプレクサを構成することが出来る。
【００６５】
以上、本発明の実施の形態について説明したが、本発明はこれらに限定されるものではなく、特許請求の範囲に記載の範囲内で種々の変更を行うことができることは当業者に明らかである。
【００６６】
例えば、カスケード接続する弾性表面波フィルタの接続段数は典型的には２段であるが、３段以上とすること（例えば第一段フィルタ（入力段フィルタ）と第二段フィルタ（出力段フィルタ）との間に、あるいは、第一段フィルタの前段に、あるいは、第二段フィルタの後段に、さらにＳＡＷフィルタをカスケード接続する等）を本発明は除外するものではない。また、圧電基板の材料や回転カット角、あるいはＩＤＴや反射器を構成する電極の材料や各部寸法（電極本数、電極幅、ピッチ、交差長等）などの具体的な構成は、使用周波数帯、等に応じて様々に設定可能であり、特に限定されない。また、必要に応じてフィルタにＳＡＷ共振器が直列または並列に接続された構造であっても良い。さらに、端部反射器の間に配置するＩＤＴの数は、実施形態では３個および５個を例示したが、本発明はこれらの数に限定されるものではなく、これ以外の数（例えば４個または６個以上）であっても構わない。
【図面の簡単な説明】
【００６７】
【図１】本発明の第一の実施形態に係る弾性表面波フィルタを示す概念図である。
【図２】前記第一実施形態に係る弾性表面波フィルタの導体パターンを模式的に示す図である。
【図３】前記第一実施形態に係る弾性表面波フィルタの周波数特性を示す線図である。
【図４】前記第一実施形態に係る弾性表面波フィルタの高域側における減衰特性を拡大して示す線図である。
【図５】前記第一実施形態に係る弾性表面波フィルタの通過帯域における周波数特性を拡大して示す線図である。
【図６】本発明の第二の実施形態に係る弾性表面波フィルタを示す概念図である。
【図７】前記第二実施形態に係る弾性表面波フィルタの導体パターンを模式的に示す図である。
【図８】本発明の第三の実施形態に係る弾性表面波フィルタを示す概念図である。
【図９】前記第三実施形態に係る弾性表面波フィルタの導体パターンを模式的に示す図である。
【図１０】本発明の第四の実施形態に係る弾性表面波フィルタを示す概念図である。
【図１１】本発明の第五の実施形態に係る弾性表面波フィルタを示す概念図である。
【図１２】本発明の第六の実施形態に係る弾性表面波フィルタを示す概念図である。
【図１３】前記第六実施形態に係る弾性表面波フィルタの周波数特性を示す線図である。
【図１４】本発明の第七の実施形態に係る弾性表面波フィルタを示す概念図である。
【図１５】前記第七実施形態に係る弾性表面波フィルタの周波数特性を示す線図である。
【図１６】本発明の第八の実施形態に係る弾性表面波フィルタを示す概念図である。
【図１７】本発明の第九の実施形態に係る弾性表面波フィルタを示す概念図である。
【図１８】本発明の第十の実施形態に係る弾性表面波フィルタを示す概念図である。
【図１９】本発明の第十一の実施形態に係る弾性表面波フィルタを示す概念図である。
【図２０】本発明の第十二の実施形態に係る弾性表面波フィルタを示す概念図である。
【図２１】本発明に係るデュプレクサの一例を示すブロック図である。
【図２２】弾性表面波フィルタの一例（第一比較例）を示す概念図である。
【図２３】前記第一比較例に係る弾性表面波フィルタの導体パターンを模式的に示す図である。
【図２４】弾性表面波フィルタの別の例（第二比較例）を示す概念図である。
【図２５】従来の弾性表面波フィルタの一例（第一従来例）を示す概念図である。
【図２６】前記第一従来例に係る弾性表面波フィルタの導体パターンを模式的に示す図である。
【図２７】従来の弾性表面波フィルタの別の例（第二従来例）を示す概念図である。
【図２８】従来の弾性表面波フィルタの更に別の例を示す概念図である。
【符号の説明】
【００６８】
１１  入力段フィルタ（ＤＭＳフィルタ）
１２，２２  中央ＩＤＴ
１３，２３  第一外側ＩＤＴ
１４，２４  第二外側ＩＤＴ
１５，１６，２５，２６，３１，４３Ｃ，５３Ｃ  反射器
１７，２７  グランド側櫛形電極
１８，１８ａ，１８ｂ  カスケード接続ライン（信号ライン）
１９，１９ａ〜１９ｈ  グランド端子
２１  出力段フィルタ（ＤＭＳフィルタ）
３２  非接続電極部
３８，４８  信号ライン
４１，５１  第一中央ＩＤＴ
４２，５２  第二中央ＩＤＴ
４３，５３  第三中央ＩＤＴ
【図１】
0005099330.tif 000002
【図２】
0005099330.tif 000003
【図３】
0005099330.tif 000004
【図４】
0005099330.tif 000005
【図５】
0005099330.tif 000006
【図６】
0005099330.tif 000007
【図７】
0005099330.tif 000008
【図８】
0005099330.tif 000009
【図９】
0005099330.tif 000010
【図１０】
0005099330.tif 000011
【図１１】
0005099330.tif 000012
【図１２】
0005099330.tif 000013
【図１３】
0005099330.tif 000014
【図１４】
0005099330.tif 000015
【図１５】
0005099330.tif 000016
【図１６】
0005099330.tif 000017
【図１７】
0005099330.tif 000018
【図１８】
0005099330.tif 000019
【図１９】
0005099330.tif 000020
【図２０】
0005099330.tif 000021
【図２１】
0005099330.tif 000022
【図２２】
0005099330.tif 000023
【図２３】
0005099330.tif 000024
【図２４】
0005099330.tif 000025
【図２５】
0005099330.tif 000026
【図２６】
0005099330.tif 000027
【図２７】
0005099330.tif 000028
【図２８】
0005099330.tif 000029